(57)【要約】      （修正有）【課題】蒸発器に接する気体の流路長さを増加させ、流れを乱すことで、気体の冷却時間を延ばし、熱交換量を増加させることで、冷却効率を上げて消費電力を下げる冷蔵庫を提供する。【解決手段】内部が貯蔵室となる内箱２０３と、内箱２０３の外面に接触した蒸発器パイプ２０５と、貯蔵室の内部であって、内箱２０３の蒸発器パイプ２０５が接触した領域の内面に沿って配置された仕切り板２０７と、内面及び仕切り板２０７の間に形成された流路に気体を送るファン２１１と、を備え、流路２０９は、気体が蛇行して流れるように形成する。【選択図】図２
2020060312.tif 000002
【特許請求の範囲】
【請求項１】
内部が貯蔵室となる内箱と、
前記内箱の外面に接触した蒸発器パイプと、
前記貯蔵室の内部であって、前記内箱の前記蒸発器パイプが接触した領域の内面に沿って配置された仕切り板と、
前記内面及び前記仕切り板の間に形成された流路に気体を送るファンと、を備え、
前記流路は、前記気体が蛇行して流れるように形成されている、冷蔵庫。
【請求項２】
前記内箱の内面に対向する前記仕切り板の流路面にリブが設けられ、
前記前記仕切り板の左右両端に、外側壁を有し、
前記リブの一端が前記仕切り板の一方の前記外側壁につながり、
前記リブの他端が前記仕切り板の他方の前記外側壁につながる前に終端しており、
前記リブの他端の高さが前記リブの一端の高さより低く配置され、
前記気体は下から上へ流れる、請求項１に記載の冷蔵庫。
【請求項３】
前記リブが、前記仕切り板の前記一方の外側壁から延びた第１のリブと、前記仕切り板の前記他方の外側壁から延びた第２のリブとを含み、
前記第１のリブ及び前記第２のリブが上下方向で交互に配置され、
前記第１のリブの終端部が、前記第２のリブの終端部よりも前記一方の外側壁に近接して配置されている、請求項２に記載の冷蔵庫。
【請求項４】
前記貯蔵室と前記仕切り板が対向する方向において、前記リブの先端部と前記内面の間は４．０ｍｍから６．０ｍｍの間隔を有している、請求項２または３に記載の冷蔵庫。
【請求項５】
前記仕切り板の流路面の平面視において、
前記ファンは、前記仕切り板の下方の中央に設けられ、
前記ファンの上方には、前記仕切り板の前記一方及び他方の外側壁につながらない水平なひさしが設けられ、
前記リブが、前記ひさしの上方に配置されている、請求項２乃至４のいずれか１項に記載の冷蔵庫。
【発明の詳細な説明】
【技術分野】
【０００１】
本発明は、内箱に蒸発器が接して設けられ、蒸発器が接する内箱の内面と、対向する仕切り板によって形成された気体の流路を備える冷蔵庫に関するものである。
【背景技術】
【０００２】
ワインセラなどの、大きな容量を備えた一室を、一定の温度に保温する冷蔵庫がある。この様な冷蔵庫は、大量の対象物を冷やすため、冷却効率を上げて消費電力を下げる開発がなされている。
【０００３】
そのため、冷却用の蒸発器を内箱に接して設け、気体の流路（風路）を仕切り板により画定する冷蔵庫が考え出されている。気体は、ファンにより強制対流させられ、流路を通る際に蒸発器により冷やされる。
【０００４】
特許文献１には、気体が熱交換に必要とする冷却面と接する面積を大きくするため、蒸発器が接する内壁に対向して、風路を画定する熱伝導性の高い仕切り板が設けられ、気体は、流路を通っている最中に仕切り板と蒸発器により冷やされる冷蔵庫が記載されている。
【先行技術文献】
【特許文献】
【０００５】
【特許文献１】特開２００１−８２８４６号公報
【発明の概要】
【発明が解決しようとする課題】
【０００６】
しかしながら、特許文献１の冷蔵庫は、上から下への気体の流れに対して平行に直線状に仕切り板が設けられているため、ファンから出る風が直線的に流れ、気体が蒸発器や仕切り板で冷却される時間が短かった。そのため、十分に気体を冷却することができなかった。
【０００７】
そこで本発明は、蒸発器に接する気体の流路長さを増加させ、流れを乱すことで、気体の冷却時間を延ばし、熱交換量を増加させる冷蔵庫を提供することを課題とする。また、本発明は、冷却効率を上げて消費電力を下げる冷蔵庫を提供することを課題とする。
【課題を解決するための手段】
【０００８】
本発明の冷蔵庫は、
内部が貯蔵室となる内箱と、
前記内箱の外面に接触した蒸発器パイプと、
前記貯蔵室の内部であって、前記内箱の前記蒸発器パイプが接触した領域の内面に沿って配置された仕切り板と、
前記内面及び前記仕切り板の間に形成された流路に気体を送るファンと、を備え、
前記流路は、前記気体が蛇行して流れるように形成されている、ことを特徴としている。
【０００９】
本発明の冷蔵庫は、気体が蛇行して流れるように、気体の流路が形成されることで、流路長さを増加させ、気体の流れを乱すことができる。本発明の冷蔵庫は、気体の流路長さを増加させ、流れを乱すことにより、冷却時間を延ばし、熱交換量を増加させることができる。また、本発明の冷蔵庫は、熱交換量を増加させることで、冷蔵庫を効率よく冷却し、消費電力を下げることができる。
【００１０】
また、本発明は、
前記内箱の内面に対向する前記仕切り板の流路面にリブが設けられ、
前記前記仕切り板の左右両端に、外側壁を有し、
前記リブの一端が前記仕切り板の一方の前記外側壁につながり、
前記リブの他端が前記仕切り板の他方の前記外側壁につながる前に終端しており、
前記リブの他端の高さが前記リブの一端の高さより低く配置され、
前記気体は下から上へ流れる、ことを特徴とする。
【００１１】
本発明の冷蔵庫は、仕切り板の内箱に対向する平面視で横に大きく蛇行させ、流路長を大幅に増加することができる。蒸発器で冷却された気体からリブに霜または露が発生する場合があるが、本発明の冷蔵庫は、リブに傾斜をつけることで、霜取り時に、リブの傾斜を使って水滴の落下を促進することができる。
【００１２】
また、本発明は、
前記リブが、前記仕切り板の前記一方の外側壁から延びた第１のリブと、前記仕切り板の前記他方の外側壁から延びた第２のリブとを含み、
前記第１のリブ及び前記第２のリブが上下方向で交互に配置され、
前記第１のリブの終端部が、前記第２のリブの終端部よりも前記一方の外側壁に近接して配置されている、ことを特徴とする。
【００１３】
本発明の冷蔵庫は、リブを上下方向で重ならないようにすることで、ファンからの風がリブにより必要以上に妨げられないようにできる。本発明の冷蔵庫は、気体の圧力損失を防ぎ、効率よく気体を流すことができる。
【００１４】
また、本発明は、
前記貯蔵室と前記仕切り板が対向する方向において、前記リブの先端部と前記内面の間は４．０ｍｍから６．０ｍｍの間隔を有している、ことを特徴としている。
【００１５】
本発明の冷蔵庫は、仮に多少の寸法のばらつきがあったとしても、仕切り板を内箱に組立てる際に、リブが内箱に当たって、内箱を傷つけることがない。また、この間隔は、冷却中に霜ですぐ埋まるため、本発明の冷蔵庫は、気体の流れを妨げることができる。
【００１６】
また、本発明は、
前記仕切り板の流路面の平面視において、
前記ファンは、前記仕切り板の下方の中央に設けられ、
前記ファンの上方には、前記仕切り板の前記一方及び他方の外側壁につながらない水平なひさしが設けられ、
前記リブが、前記ひさしの上方に配置されている、ことを特徴とする。
【００１７】
本発明の冷蔵庫は、下方のファンから出た気体は蛇行して上方に向かう。リブで発生した水滴はひさしに向かって落ちるが、ひさしによりファンに水がかからないため、本発明の冷蔵庫は、ファンを水滴から守ることができる。
【図面の簡単な説明】
【００１８】
【図１】本発明の１つの実施形態における冷蔵庫の概観図である。
【図２】本発明の１つの実施形態における貯蔵室の断面図である。
【図３】蒸発器パイプの配置例を示す冷蔵庫の内箱の外面を示す斜視図である。
【図４】本発明の１つの実施形態におけるリブの配置図である。
【図５】本発明の仕切り板の具体例を示す図である。
【図６】本発明の１つの実施形態における気体の流路のイメージ図である。
【図７】仕切り板の正面から見た、比較例のリブの配置図である。
【発明を実施するための形態】
【００１９】
以下、図面を参照しながら、本発明を実施するための実施形態を説明する。各図面中、同一の機能を有する対応する部材については、説明を省略することがある。
【００２０】
（冷蔵庫の全体構造について）
図１は、本発明の１つの実施形態における冷蔵庫の概観図である。図２は、本発明の１つの実施形態における貯蔵室の断面図である。図３は、蒸発器パイプの配置例を示す冷蔵庫の内箱の外面を示す斜視図である。図１乃至図３を参照して本発明の冷蔵庫の全体構造について説明する。
【００２１】
図１に示すように本発明の１つの実施形態に係る冷蔵庫１０１は、その内部に食品等が貯蔵できる貯蔵室１０３を備える。貯蔵室１０３は、その前方の開口を開閉する回転式の断熱扉１０５を備える。
【００２２】
図２に示すように、貯蔵室２０１は、断熱扉を除いて、内箱２０３で画定されている。貯蔵室２０１の背面にあたる内箱２０３の外面は、冷却用の蒸発器パイプ２０５と接触している。
【００２３】
図３を用いて、蒸発器パイプの配置の一例を説明する。図３に示すように、貯蔵室を画定する内箱３０１が設けられている。蒸発器パイプ３０３は、内箱３０１の外面に接触して設けられている。
【００２４】
蒸発器パイプ３０３は、接触面積を増加するように熱伝導性の板３０５にぴったりくっつけられ、往復して設けられる。凝縮器によって常温・高圧になった液体冷媒は、管径の細い毛細管３０７（キャピラリーチューブ）を通過させることで、蒸発器に入って蒸発しやすいように圧力が下げられている。
【００２５】
蒸発器パイプ（エバポレータ）に送られた低温・低圧の液体冷媒は、内箱及び内箱に接する気体を冷やし、蒸発する。このようにすることで、本発明の一例の冷蔵庫は、内箱を冷却し、冷媒を循環させることができる。
【００２６】
図２に戻って、仕切り板２０７は、貯蔵室２０１の内部であって、蒸発器パイプ２０５が接触した領域の内面に沿って配置されている。気体の流路２０９は、内箱２０３の内面とそれに対向する仕切り板２０７との間に形成される。
【００２７】
ファン２１１は、仕切り板２０７に取り付けられ、流路２０９に気体の流れを起こす。仕切り板の下方からファン２１１により取り込まれた気体は、流路２０９を通る際に蒸発器パイプ２０５が接する内箱２０３の内面で冷やされ、仕切り板の上方から送り出される。
【００２８】
流路２０９は、気体の流路長が増加し、気体の流れが乱れるように、蛇行している。本実施形態の冷蔵庫は、流路長を増加し、気体の流れを乱すことで、気体の冷却時間を延ばし、熱交換量を増加させることができる。また本実施形態の冷蔵庫は、熱交換量を増加させることで、効率よく気体を冷却し、冷蔵庫の消費電力を下げることができる。
【００２９】
排水口２１３は、仕切り板２０７と内箱２０３の間の流路２０９の下方にあり、霜取りの際の排水を流すことできる。
【００３０】
本実施形態では、ファン２１１が冷蔵庫の下方にある例を示したが、ファンが冷蔵庫の上方にあってもよい。ファンが冷蔵庫の上方にある場合は、暖められた気体を冷却しながら下方に流すことができるため、自然に流れが起こる。
【００３１】
（リブの構成）
図４は、本発明の１つの実施形態におけるリブの配置図である。図５は、本発明の仕切り板の具体例である。図４及び５を参照しながら、本発明の気体の流路を形成するためのリブの構成について説明する。
【００３２】
図４に示すように、内箱の内面に対向する仕切り板４０１の流路面は、リブ４０３と４０７を含んで設けられている。仕切り板は、左右両端に外側壁４０５、４０９を備え、ファン４１１から出た気体は、内箱の内面に対向する仕切り板４０１の流路面と内箱の内面の間を流れる。
【００３３】
リブ４０３は、一端が仕切り板の一方の外側壁４０５につながり、他端が仕切り板の他方の外側壁４０９につながる前に終端しており、他端の高さが一端の高さより低くなっている。
【００３４】
また、リブ４０７は、一端が仕切り板の他方の外側壁４０９につながり、他端が他方の仕切り板の外側壁４０５につながる前に終端しており、他端の高さが一端の高さより低くなっている。
【００３５】
具体的には、図５に示すようにリブ５０３は、仕切り板５０１に外側壁５０５と一体に、垂直に立つように形成されている。また、リブ５０７は、同様に外側壁５０９と一体に形成されている。
【００３６】
図４に戻って、外側壁４０５につながるリブ４０３と外側壁４０９につながるリブ４０７は、上下方向で交互に配置されている。リブ４０３及び４０７のこのような配置は、気体をリブ４０３、４０７を避けるように流し、気体を仕切り板に対して平行に蛇行させることができる。
【００３７】
霜または露が蒸発器パイプで冷却された気体からリブに発生する場合がある。図４で示すように、リブ４０３、４０７の他端の高さが一端の高さより低くして傾斜させることで、本実施形態の冷蔵庫は、霜取り時に、水滴がリブ４０３、４０７の傾斜を使って落下することを促進することができる。
【００３８】
リブ４０３、４０７は、外側壁４０５、４０９から下方に向けて水平方向に対し５°以上の角度で傾斜している。傾斜は、小さくなると水滴を落下させる効果がなくなる。
【００３９】
図５の具体例を参照すると、リブ５０３、５０７は、外側壁５０５、５０９から下方に向けて水平方向に対し１０°で傾斜している。リブの傾斜は、大きくなると風路を蛇行させる効果がなくなる。
【００４０】
図４を参照して、リブの配置について考察する。リブ４０３の終端部は、リブ４０７の終端部よりも一方の外側壁４０５に近接して配置されている。同様に、リブ４０７の終端部は、リブ４０３の終端部よりも他方の外側壁４０９に近接して配置されている。
【００４１】
すなわち、リブ４０３とリブ４０７は、上下方向において重ならないようにされている。本実施形態の冷蔵庫は、このようにすることでファンからの風がリブにより必要以上に妨げられないようにできる。したがって、本実施形態の冷蔵庫は、ファンからの風の圧損を防ぎ、効率よく気体を流すことができる。
【００４２】
また、リブ４０３とリブ４０７の距離ａ、リブ４０７と外側壁４０５の距離ｂ、及びリブ４０３と外側壁４０９との距離ｃは、流路の最大幅の５０％を下回らないように設定する。流路の最大幅は、ファン及び仕切り板の外側壁により構成される最大流路面積を有する幅であり、例えば、リブ４０７の傾斜方向に引いた線分であって、リブ４０７から外側壁４０５までの距離ｄをいう。
【００４３】
本実施形態の冷蔵庫は、流路の末端部（部分Ｅ）にリブが形成されることがあるが、このような部分のリブは、上記５０％を下回らないとの設定には該当しない。
【００４４】
リブとリブの距離及びリブと外側壁の距離（ここでは距離ａ、ｂ、ｃ）の最小距離は、リブとリブの距離及びリブと外側壁の距離の最大距離の８０％を下回らないように設定する。ただし、流路の末端部（部分Ｅ）にリブが形成される場合、この部分のリブは、この設定に該当しない。
【００４５】
リブ４０３、４０７の高さは、貯蔵室と仕切り板が対向する方向（ここでは、貯蔵室の前後方向）において、リブ４０３、４０７の先端部と内箱の内面の間が４．０ｍｍから６．０ｍｍの間隔を有するように設けられている。
【００４６】
本実施形態の冷蔵庫は、リブの先端部と内箱の間に間隔があることにより、仕切り板を内箱に組立てる際、リブの先端が内箱に、誤って当接し、傷をつけることを防ぐ。
【００４７】
リブと内箱の間隔は、冷却中に霜ですぐ埋まるため、結果として気体の流れを妨げることができる。本実施形態の冷蔵庫は、仮に内箱とリブの間に４．０ｍｍから６．０ｍｍの間隔が開いていたとしても、仕切り板に対して垂直方向の気体の流れが乱れるため熱交換性能は損なわれない。
【００４８】
図５を参照すると、仕切り板の具体例は、外側壁と内箱の間を埋めるように外側壁５０５、５０９及びその下を含む側部の外周にはスポンジが付される（図示せず）。側面の風路は、このスポンジにより画定される。
【００４９】
また、本発明の仕切り板の具体例は、外側壁と内箱の間を埋めるようにスポンジを設けることにより、仕切り板を内箱に組立てる際に、リブが内箱に当たって、内箱を傷つけることを防ぐ。
【００５０】
図４に示すように、ファン４１１は、仕切り板の下方に設けられる。排水口４１９は、ファン４１１の側方下の傾斜の中に設けられ、霜取りの際の排水を流すことできる。仕切り板の一方及び他方の外側壁につながらない水平なひさし４１３は、ファン４１１の上方に設けられる。
【００５１】
リブ４０３、４０７は、ひさし４１３の上方に配置され、リブ４０３、４０７は、ひさし４１３に向かって傾斜して互い違いに複数あるため、ひさし４１３はリブ４０３、４０７から滴る水滴をファンに入らないようにすることができる。
【００５２】
図５の具体例を参照すると、ファンは、仕切り板の下方の空間５１１に設置される。ひさし５１３は、ファンの上部に設けられる。ひさしはリブよりもやや高めに突出している。ひさしは水平に設けられているが、下方へ傾斜をつけて水を落とす構造としてもよい。
【００５３】
また、図５の具体例において、ファン等を動かす電気を流す配線５１５は、仕切り板５０１の各所に這わせられている。配線５１５は、リブを含む仕切り板に設けられた各突出部を通すように設けられている。また、その接続部及び配線は、ビニル等で水から保護されている。
【００５４】
（流路の詳細）
図６は、本発明の１つの実施形態における流路のイメージ図である。図６を用いて、本発明の流路のイメージを示す。
【００５５】
図６で示すように、ファン６１１は、仕切り板の流路面の平面視において仕切り板６０１の下方の中央に設けられる。ファンは、中央下方から上方に向けて流路に流れを起こす。ここでファン６１１は、左回りに回転している。
【００５６】
ファンに最も近い、平面視で左外側壁６０９から出ているリブ６０７は、仕切り板６０１の中央下方に傾斜して設けられている。すなわち、すなわちリブ６０７は、ファン６１１が起こす流れの方向に向かって傾斜している。
【００５７】
このように、本実施形態の冷蔵庫は、外側壁からファンの回転方向に向かって傾斜するリブをファンの最も近くに配置することにより、効率よく気体を対流させることができる。本発明の冷蔵庫は、仮にファンが右回りに回転するのであれば、ファンに最も近いリブは右側の外側壁からでて、中央付近で終端するようにする。
【００５８】
ファン６１１から出た気体６１５は、ひさし６１３を避け、リブ６０７に向かう。リブ６０７に当たって乱された気体６１５は、リブ６０７を避けるように右上方に向かい、さらにリブ６０３を避けるように左上方に向かう。
【００５９】
同様に、ファン６１１から出た気体６１７は、ひさし６１３を避け、リブ６０７を避けるように右上方に向かい、リブ６０３に向かう。リブ６０３に当たって乱された気体６１７は、リブ６０３を避けるように左上方に向かう。
【００６０】
このように、ファンから出た気体の流れ６１５、６１７は共に蛇行しながら上方に向かうため、流路は蛇行したものとなる。本実施形態の冷蔵庫は、流路が蛇行することにより、流路長さを増加し、また、流れを乱すことで熱交換量を増加させ、冷却時間を延ばすことができる。また、本実施形態の冷蔵庫は、冷却時間を延ばすことにより、効率よく気体を冷却し、消費電力を下げることができる。
【００６１】
また、流路は、仕切り板の流路の平面視において平行方向に大きく蛇行するものを示したが、垂直方向への蛇行と組み合わせてもよい。
【００６２】
（比較例のリブの配置図）
図７に仕切り板の正面から見た比較例のリブの配置図を示す。図７を参照して、風路を蛇行させ、流れを乱す比較例のリブの配置図について説明する。図７（ａ）は大きめの円柱状のリブ７０１を風の流れの垂直方向に複数並べ、この複数のリブの間を埋めるように風の流れの平行方向に上記風の流れの垂直方向に複数並んだ円柱状のリブを配置し、それを繰り返す例を示す。
【００６３】
図７（ａ）の比較例は、円柱状のリブとリブの隙間に風を通すことにより風路を蛇行させることができる。しかしながら、この比較例は、円柱部分が熱交換に寄与しないため、熱交換効率が悪くなる。また、この比較例は、流れを全体的に均一にすることが難しく、流れは左右どちらかに偏りやすくなる。さらに、この比較例は、着霜時に流れが変わる可能性がある。
【００６４】
図７（ｂ）は、ピン状のリブを設置する例を示す。図７（ｂ）の比較例は、複数のピン７０３の間に風を通すことで、風路を細かく蛇行させることができる。しかしながら、この比較例も流れを全体的に均一にすることが難しく、流れは左右どちらかに偏りやすくなる。また、この比較例は、着霜により流れが変わる可能性がある。さらにこの比較例は、ピンが細くなると折れやすくなり、流れを蛇行する効果がなくなる。
【００６５】
図７（ｃ）は、水平に延びた短いリブ７０５を風の流れの垂直方向に複数並べ、この複数のリブの間を埋めるように風の流れの平行方向に上記風の流れの垂直方向に複数並んだ短いリブを配置し、それを繰り返す例を示す。
【００６６】
図７（ｃ）の比較例は、屋根のようなリブに風をながすことで、風路を蛇行させることができる。しかしながら、この比較例は、流れを全体的に均一にするのは難しく、流れは左右どちらかに偏りやすくなる。また、この比較例は、Ａで示される部分に、熱交換に寄与しない淀みが形成されてしまう。さらに、この比較例は、着霜時に流れが変わる可能性がある。
【００６７】
図７（ｄ）は、屋根のように風の進行方向に尖った短いリブ７０７を風の流れの垂直方向に複数並べ、この複数のリブの間を埋めるように風の流れの平行方向に上記風の流れの垂直方向に複数並んだ短いリブを配置し、それを繰り返す例を示す。
【００６８】
図７（ｄ）の比較例は、屋根のようなリブに風をながすことで、風路を蛇行させることができる。しかしながら、この比較例は、流れを全体的に均一にするのは難しく、流れは左右どちらかに偏りやすくなる。また、この比較例は、Ｂで示される部分に、熱交換に寄与しない淀みが形成されてしまう。さらに、この比較例は、着霜時に流れが変わる可能性がある。
【００６９】
図７（ｅ）は、風の進行方向の逆方向に尖った短いリブ７０９を風の流れの垂直方向に複数並べ、この複数のリブの間を埋めるように風の流れの平行方向に上記風の流れの垂直方向に複数並んだ短いリブを配置し、それを繰り返す例を示す。
【００７０】
図７（ｅ）は、リブに風をながすことで、風路を蛇行させることができる。しかしながら、この比較例は、流れを全体的に均一にするのは難しく、流れは左右どちらかに偏りやすくなる。また、この比較例は、着霜時に流れが変わる可能性がある。さらに、この比較例は、Ｃで示される部分に、霜取り時の水がたまってしまう。
【００７１】
このように図７（ａ）乃至（ｅ）の比較例でも風路を蛇行させることができるが、本発明の風路を蛇行させるリブは、冷気が左右に大きく蛇行するように配置されたものである。したがって、本発明は、図７（ａ）乃至（ｅ）で示されるような、短いリブではない。
【００７２】
本発明の風路を蛇行させるリブは、図７（ａ）乃至（ｅ）の比較例と比較して（１）最も流路長さを長くできる、（２）意図通りの冷気流れを形成でき、着霜しても流れがほぼ変わらない、（３）熱交換に寄与しない部分が形成されにくい、（４）量産時の作業性が損なわれない、（５）仕切り板の部品強度が損なわれず、むしろ強化される、（６）コストが変わらない、などの利点がある。
【産業上の利用可能性】
【００７３】
本発明は、おもにワインセラなどの大量のものを１室で均一に冷やす冷蔵庫に特に有効である。
【符号の説明】
【００７４】
１０１  冷蔵庫
１０３  貯蔵室
１０５断熱扉
２０１  貯蔵室
２０３  内箱
２０５  蒸発器パイプ
２０７  仕切り板
２０９  流路
２１１  ファン
２１３  排水口
３０１  内箱
３０３  蒸発器パイプ
３０５  熱伝導性の板
３０７  キャプラリーチューブ
４０１  仕切り板
４０３  リブ
４０５  外側壁
４０７  リブ
４０９  外側壁
４１１  ファン
４１３  ひさし
４１９  排水口
５０１  仕切り板
５０３  リブ
５０５  外側壁
５０７  リブ
５０９  外側壁
５１１  空間
５１３  ひさし
５１５  配線
６０１  仕切り板
６０３  リブ
６０５  外側壁
６０７  リブ
６０９  外側壁
６１１  ファン
６１３  ひさし
６１５  気体の流れ
６１７  気体の流れ
６１９  排水口
７０１  円柱状のリブ
７０３  ピン
７０５  水平に延びた短いリブ
７０７  風の進行方向に尖った短いリブ
７０９  風の進行方向の逆方向に尖った短いリブ
【図１】
2020060312.tif 000003
【図２】
2020060312.tif 000004
【図３】
2020060312.tif 000005
【図４】
2020060312.tif 000006
【図５】
2020060312.tif 000007
【図６】
2020060312.tif 000008
【図７】
2020060312.tif 000009